(57)【要約】【課題】  従来の超音波洗浄装置では、連続的に洗浄ができないとともに、洗浄槽内で洗浄むらでできるという点である。【解決手段】  搬送ローラ１により長尺の被洗浄物２が搬送され、この被洗浄物２の上部に底部が被洗浄物２と接触して洗浄槽３が装着され、この被洗浄物２と接触する洗浄槽３の底部に開口３ａが形成され、又、洗浄槽２を横切って中央に円筒状の超音波振動子４が装着され、この超音波振動子４の両端部は洗浄槽２の挿入孔３ｂに挿入され、この挿入孔３ｂに装着されたパッキン５で洗浄液が漏れないように構成され、さらに、超音波振動子４に発振器６から発振出力が印加され、又、洗浄槽の上部に洗浄液供給装置７が装着されている。【選択図】図１
2005334841.tif 000002
【特許請求の範囲】
【請求項１】
ローラにより搬送される被洗浄物と、該被洗浄物の上部に前記被洗浄物に接触する開口を形成し、内部に円筒状の超音波振動子を装着し、該超音波振動子の周囲に洗浄液を入れた洗浄槽と、該洗浄槽に洗浄液を供給する洗浄液供給装置と、前記超音波振動子に発振出力を印加する発振器とからなり、前記洗浄槽の開口に対して前記被洗浄物を前後に移動することにより、前記被洗浄物を洗浄することを特徴とする超音波洗浄装置。
【請求項２】
前記洗浄槽の上部に洗浄液をオーバーフローして均一に洗浄液を供給する洗浄液供給槽を装着することを特徴とする請求項１記載の超音波洗浄装置。
【請求項３】
前記円筒状の超音波振動子は円筒状の支柱の周囲に装着する吸音材と、該吸音材の周囲に装着した圧電振動子と、前記円筒状の支柱を両端で支持する支持部材と、該支持部材で支持され、前記圧電体振動子と間隔を開けて装着される円筒状の輻射膜とからなることを特徴とする請求項１記載の超音波洗浄装置。
【発明の詳細な説明】
【技術分野】
【０００１】
本発明は、連続して移動する被洗浄物を連続して洗浄するようにした超音波洗浄装置に関するものである。
【背景技術】
【０００２】
従来の超音波洗浄装置としては、洗浄槽の底部にボルト締めランジュバン型振動子を装着し、洗浄槽に洗浄液と被洗浄物を入れ、ボルト締めランジュバン型振動子に発振器から発振出力を印加して、洗浄液中にキャビテーションや直進流を発生させて被洗浄物を洗浄するようにしている。
【０００３】
しかしながら、このような超音波洗浄装置では、洗浄槽に被洗浄物を入れて、洗浄時間を設定して被洗浄物を洗浄するようにしているため、連続的に被洗浄物を洗浄することができず、ボルト締めランジュバン型振動子を装着している部分の内部では、超音波が強く照射されるが、洗浄槽の内部の周囲では、超音波の照射が弱いために、洗浄むらができるという問題があった。
【特許文献１】特開昭５６−１０２９７７号
【発明の開示】
【発明が解決しようとする課題】
【０００４】
解決しようとする問題点は、従来の超音波洗浄装置では、連続的に洗浄ができないとともに、洗浄槽内で洗浄むらでできるという点である。
【課題を解決するための手段】
【０００５】
本発明では、被洗浄物をローラにより搬送し、洗浄槽は被洗浄物の上部に被洗浄物に接触する開口を形成し、内部に円筒状の超音波振動子を装着し、超音波振動子の周囲に洗浄液を入れ、又、洗浄槽に洗浄液を供給する洗浄液供給装置を装着し、超音波振動子に発振出力を印加する発振器を設け、洗浄槽の開口で後被洗浄物を前後に移動することにより、前記被洗浄物を洗浄するものである。
【発明の効果】
【０００６】
本発明の超音波洗浄装置では、円筒状の超音波振動子は円周方向に収縮が行われるため、円周の全方向超音波が照射され、この超音波の照射により、一定の音圧になると、キャビテーションや加速度及び直進流を発生するため、これらの物理的な作用により、連続的に被洗浄物を洗浄できるという利点がある。
【実施例】
【０００７】
図１は本発明の実施例の超音波洗浄装置の側面断面図、図２は図１の超音波洗浄装置の正面断面図で、搬送ローラ１により長尺の被洗浄物２が搬送され、この被洗浄物２の上部に底部が被洗浄物２と接触して洗浄槽３が装着され、この被洗浄物２と接触する洗浄槽３の底部に開口３ａが形成され、又、洗浄槽２を横切って中央に円筒状の超音波振動子４が装着され、この超音波振動子４の両端部は洗浄槽２の挿入孔３ｂに挿入され、この挿入孔３ｂに装着されたパッキン５で洗浄液が漏れないように構成され、さらに、超音波振動子４に発振器６から発振出力が印加され、又、洗浄槽の上部に洗浄液供給装置７が装着されている。
【０００８】
このように構成された本実施例では、洗浄液３に洗浄液供給装置７から洗浄液が供給され、又、超音波振動子４に発振器５から発振出力が印加され、この状態で搬送ローラ１により被洗浄物２が緩やかに移動されると、超音波振動子４から発生した超音波により洗浄液８内に発生したキャビテーションや加速度及び直進流により被洗浄物２と洗浄液８が接触している面で洗浄され、被洗浄物２が移動している間、連続的に長尺の被洗浄物２が洗浄される。
【０００９】
図３は本発明の他の実施例の超音波洗浄装置の側面断面図で、１は搬送ローラ、２は長尺の被洗浄物、３は洗浄槽、４は超音波振動子で、これらの構成は上記実施例と同じであるので、説明は省略するが、本実施例では、円筒状の超音波振動子４と同心円状に洗浄槽３が構成され、又、洗浄槽３の上部にた洗浄液を均一に供給するために、洗浄液供給槽９を形成し、この洗浄液供給槽９から洗浄液をオーバーフローさせて洗浄槽３の内部に均一に供給するようにしている。
【００１０】
このように構成した本実施例においても、上記実施例と同様に長尺の被洗浄物２を連続的に洗浄することができる。
【００１１】
図４は本発明の超音波洗浄装置に使用する円筒状の超音波振動子の側面断面図で、円筒状の支柱１０の中心に冷却水を通す冷却水孔１０ａが形成され、又、支柱１０の周囲に円筒状の吸音材１１が装着され、この円筒状の吸音材１１の周囲に円筒状の圧電体振動子１２が装着され、又、円筒状の支柱１０の両端部１０ｂ、１０ｃは支持部材１３、１４と接着され、これらの支持部材１３、１４の中心に冷却水孔１３ａ、１４ａが形成され、又、支持部材１３、１４のそれぞれの周囲に段差部１３ｂ、１４ｂが形成され、これらの段差部１３ｂ、１４ｂの外周に円筒状の輻射膜１５が装着され、この輻射膜１５を支持するために、Ｏリング１６、１７が支持部材１３、１４の段差部１３ａ、１３ｂに装着されている。
【００１２】
このように構成した超音波振動子は、図１、図３の実施例の超音波振動子として使用することができ、又、支持部材１３、１４及び支柱１０の中心に冷却水孔１３ａ、１４ａ及び１０ａを設けることにより、圧電体振動子から発生した熱を冷却することができる。
【産業上の利用可能性】
【００１３】
なお、洗浄槽３の開口３ａの周囲から洗浄液漏れを防ぐために、シリコンゴム等のパッキンを設けても良い。
【図面の簡単な説明】
【００１４】
【図１】本発明の実施例の超音波洗浄装置の側面断面図である。
【図２】図１の超音波洗浄装置の正面断面図である。
【図３】本発明の他の実施例の超音波洗浄装置の正面断面図である。
【図４】本発明の超音波洗浄装置に使用する円筒状の超音波振動子の正面断面図である。
【符号の説明】
【００１５】
１                搬送ローラ
２                被洗浄物
３                洗浄槽
４                超音波振動子
５                パッキン
６                発振器
７                洗浄液供給装置
８                洗浄液
９                洗浄液供給槽
１０              支柱
１１              吸音材
１２              圧電体振動子
１３、１４        支持部材
１５              輻射膜
１６、１７        Ｏリング
【図１】
2005334841.tif 000003
【図２】
2005334841.tif 000004
【図３】
2005334841.tif 000005
【図４】
2005334841.tif 000006